(57)【特許請求の範囲】
【請求項１】
アッパーと中底を備え、該中底下面にゴム製の接地底を接合してなる履物において、踏まず部に相当する中央部とこの前後部との３つで構成された中底を用いると共に、該中央部の踏まず部を上方に湾曲成形させたものを用いてこれを前後部と接合させ、この中底下面に接地底を一体化させたことを特徴とする履物。
【請求項２】
中央部の接合縁を前後方向に凸の曲線で構成したことを特徴とする請求項１記載の履物。
【請求項３】
中央部内側に立上り部を設けた中底を用いることを特徴とする請求項１又は２記載の履物。
【請求項４】
接地底を上記中央部の湾曲に沿うように成形して一体化させたことを特徴とする請求項１ないし３のいずれか一つに記載の履物。
【請求項５】
接地底と中底の中央部下方との間に緩衝材を介在させて一体化させたことを特徴とする請求項１ないし３のいずれか一つに記載の履物。
【請求項６】
接地底として加硫されていない状態のゴムを用い、これを中底に一体化させるように加硫成形させたことを特徴とする請求項１ないし５のいずれか一つに記載の履物。
【請求項７】
上面に布が接合された中央部を備えた中底を用いることを特徴とする請求項１ないし６のいずれか一つに記載の履物。
【請求項８】
アッパーと中底を備え、該中底下面にゴム製の接地底を接合してなる履物を製造する方法において、上記中底を踏まず部に相当する中央部とこの前後部との３つで構成すると共に、該中央部の踏まず部を上方に湾曲成形させたものを用いてこれを前後部と接合させた上で、この中底にアッパーを吊込み、さらにこの下面に接地底を接合して一体化させることを特徴とする履物の製造方法。
【請求項９】
中央部の接合縁を前後方向に凸の曲線で構成したことを特徴とする請求項８記載の履物の製造方法。
【請求項１０】
中央部内側に立上り部を設けた中底を用いることを特徴とする請求項８又は９記載の履物の製造方法。
【請求項１１】
成形可能な材料からなる接地底を上記中央部の湾曲に沿うように成形して一体化させることを特徴とする請求項８ないし１０のいずれか一つに記載の履物の製造方法。
【請求項１２】
接地底と中底の中央部との間に緩衝材を介在させて一体化させたことを特徴とする請求項８ないし１０のいずれか一つに記載の履物の製造方法。
【請求項１３】
接地底として加硫されていない状態のゴムを用い、これを中底に一体化させるように加硫成形したことを特徴とする請求項８ないし１２のいずれか一つに記載の履物の製造方法。
【請求項１４】
上面に布が接合された中央部を備えた中底を用いることを特徴とする請求項８ないし１３のいずれか一つに記載の履物の製造方法。
【請求項１５】
アッパーと中底を備え、該中底下面にゴム製の接地底を接合してなる履物に用いる中底において、踏まず部に相当する中央部とこの前後部の３つで構成されたものであって、該中央部の踏まず部を上方に湾曲成形させたものを用いてこれを前後部と接合させたことを特徴とする履物に用いる中底。
【請求項１６】
中央部の接合縁を前後方向に凸の曲線で構成したことを特徴とする請求項１５記載の履物に用いる中底。
【請求項１７】
中央部内側に立上り部を設けたことを特徴とする請求項１５又は１６記載の履物に用いる中底。
【請求項１８】
中央部の上面に布が接合されたことを特徴とする請求項１５ないし１７のいずれか一つに記載の履物に用いる中底。
【発明の詳細な説明】
【０００１】
【発明の属する技術分野】
本発明は、地下たび、作業靴又は長靴をはじめとする履物、その製造方法及びこれに用いる中底に関するものである。
【０００２】
【従来の技術】
地下たびや作業靴等の接地底を有する各種履物は、特に軽快な作業性が要求されるため、比較的柔軟で薄い底が取付けられている。そしてこの軽快性を満足するよう、地下たびの一部には足のフィット感を高めるため、ゴム底の踏まず部を上方に湾曲させることが行われている。これにより、踏まず部が足の土踏まずに密着して接地感覚に優れ、かつ適度のクッション性が付与されて足にフィットする地下たびとすることができる。
【０００３】
上記の場合においてゴム底の踏まず部を上方に湾曲成形するには、加硫成形して賦形する必要があるが、このように加硫成形後のゴム底を中底に取付ける場合、接着が難しいため、さらに周縁部を縫製して取付けることが行われている。
ところが上記のように、ゴム底周縁部を縫製により取付けるときは、接着のみの場合に比べて手数を要するだけでなく、縫製が確実に行われないとゴム底の周辺に隙間が生じたり、又縫目から水の浸入が懸念されることがあった。
【０００４】
一方、未加硫状態のゴム底を中底に接着した上で加硫成形すると、確実に固着でき、しかも縫目がないため水の浸入の恐れがなくなるが、加硫成形と同時的に接着する場合単純な加硫成形では、踏まず部を上方に湾曲させることができず、又踏まず部を適宜の型で押圧しながら加硫成形するとしても、変形を起こしてしまう恨みがあった。
【０００５】
この課題を解決するため、本出願人は先に上方に湾曲成形させた踏まず部と、この前後を構成する未加硫状態の前後部とで底を構成するようにし、これらの接合縁で接合してゴム底を構成し、これを加硫成形して中底等に取付けることにより上記目的を達成した地下たびについて提案している。（特開平７ー３０８２０１号公報参照）
【０００６】
【発明が解決しようとする課題】
上記提案によれば、踏まず部が上方に湾曲成形されたものでありながら、未加硫状態から加硫成形することにより一体的に取付けることができ、しかも水の浸入を防ぐことができる特徴があるが、どうしてもゴム底の接合部が露出してしまう難点があった。
このため本発明では、踏まず部上方の湾曲形状を維持しつつかつその踏まず部が所定位置に設けられ、しかも接合部を露出させることのない接地底が一体的に接合された外観の優れた履物を提供しようとするものである。
【０００７】
上記の課題については、地下たびだけに限られることではなく、他の履物例えば作業靴や長靴等の履物についても、同様にいえることであって、所定位置に足の土踏まずに沿うよう上方に湾曲した踏まず部を設けることにより、履いたときの接地感覚及びフィット感が優れたものとなり、履物としての優位性を発揮することとなる。
【０００８】
【課題を解決するための手段】
本発明はこのような状況に鑑みてなされたもので、その要旨とするところは、アッパーと中底を備え、該中底下面にゴム製の接地底を接合してなる履物において、踏まず部に相当する中央部とこの前後部との３つで構成された中底を用いると共に、該中央部の踏まず部を上方に湾曲成形させたものを用いてこれを前後部と接合させ、この中底下面に接地底を一体化させたことを特徴とする履物にある。
【０００９】
又本発明は、アッパーと中底を備え、該中底下面にゴム製の接地底を接合してなる履物を製造する方法において、上記中底を踏まず部に相当する中央部とこの前後部との３つで構成すると共に、該中央部の踏まず部を上方に湾曲成形させたものを用いてこれを前後部と接合させた上で、この中底にアッパーを吊込み、さらにこの下面に接地底を接合して一体化させることを特徴とする履物の製造方法を要旨とするものである。
【００１０】
さらに本発明は、アッパーと中底を備え、該中底下面にゴム製の接地底を接合してなる履物に用いる中底において、踏まず部に相当する中央部とこの前後部の３つで構成されたものであって、該中央部の踏まず部を上方に湾曲成形させたものを用いてこれを前後部と接合させたことを特徴とする履物に用いる中底も要旨とするものである。
【００１１】
【発明の実施の形態】
以下、本発明の実施の形態を図面に基づいて説明するが、図１ないし図５は本発明を地下たびに適用した例を示している。
これらの図において、１は地下たびのアッパーであり、通常織物からなる甲布１Ａを中底２に吊込んで固着して構成されている。３は接地底で、ゴムで形成されており、上記アッパー１の底部即ち中底２の下面に、取付けられている。なお１Ｂは、爪先部及び踵部の補強布である。
【００１２】
本発明は、このような地下たびにおいて、先ず図３に示すように踏まず部に相当する中央部分２Ｂと、この前後部即ち踏み付け部より前方の部分に相当する前部２Ａ及び略踵部に相当する後部２Ｃとで構成された中底２であって、該中央部２Ｂの踏まず部を土踏まずの湾曲形状に沿うように上方に湾曲成形させたものを用意する。この例では、中央部２Ｂが前後部２Ａ、２Ｃ間にぴったりと納まる形状としているが、このようにするとその周縁に段差を生ずることがなくより好ましい。
【００１３】
この中底の中央部２Ｂは、一般にゴム又合成樹脂又はこれらを主体とする材料を用いて形成されるが、この例では図５に示すように主材２Ｂ’とこの上面に布２Ｄとを重ね、これを適宜の成形方法により湾曲成形させたものを用いている。この例のように、主材２Ｂ’の上面に布２Ｄを接合すると、中央部２Ｂの強度を向上することができると共に、布２Ｄが履物内側に位置することとなり、別の中敷等を用いなくても使用することができることとなる。なおこの場合の布２Ｄとして、伸び易い材質或は組織の織物や編物からなる布を用いると、湾曲成形の際に賦形が容易で所定形状に成形し易くなり有利である。特に主材２Ｂ’としてゴムを用いた場合には、布に比べてゴムの成形収縮が大きいため、踏まず部の湾曲形状が保持されることになり好ましい。
【００１４】
次いでこの中央部２Ｂの接合縁を、上記前後部２Ａ、２Ｂの夫々の接合縁と突き合わせた状態にし、図４に示すように縫糸が相互の接合縁を跨るようにジグザグ縫いして取付ける。このようにして中央部２Ｂを前後部２Ａ、２Ｃに取付けるときには、踏まず部を中底２の正確な位置に設けることができ、しかも踏まず部の湾曲形状をそのまま生かすことができることとなる。
なお、これらの接合縁を図３及び図４に示すように前後方向に凸の曲線で構成すると、土踏まずの前後の形状に合わせることができ、しかも接合縁の距離を長く取れるため接合の強度を高めることができて好ましいが、直線状の接合縁にしても差し支えない。
【００１５】
なお上記の例においては、中央部２Ｂを突き合わせとなるような形状にして取付けているが、中央部２Ｂの前後を若干長い形状とし、これを前部２Ａ及び後部２Ｃと取付けることも可能である。この例を示すのが図８で、このようにすると中央部２Ｂの接合縁を、前後部２Ａ、２Ｃの接合縁に一部重ねた状態で縫着、接着又は両者を併用して接合させることができる。
【００１６】
上記のようにして得られた中底２と甲布１Ａを、定法に従い型（図示は省略したが、この型の底面踏まず部には湾曲状の凹みを設けたものを用いる）に装着し、アッパー１下方周縁を中底２周縁に吊込み接着して固着する。この作業は、既に中央部２Ｂと前後部２Ａ、２Ｃが接合されて中底２が一体化しているので、従来の中底にアッパーを吊込む作業と同様に行なうことができる。
以上の状態に到ったら、上記中底２下面（作業時はこの面を上にすることが多いが）に、所定形状の加硫されていない状態即ち未加硫又は半加硫の状態のゴムからなる接地底３を、接着剤を使用して接合し、これを加硫成形して一体化することにより、図２に示すような本発明の地下たびを制作することができる。なお、接地底３の下面には、適宜の凹凸による踏面模様が形成されている。
【００１７】
本発明によって得られた地下たびは、図２に示す通り、接地底３は一枚構成であり、加硫されていない状態のゴムを加硫成形して中底２ないしアッパー１の下端周縁に一体的に取付けられているため、接合箇所が何等外部に露出することがなく、しかも接地底３と中底２とは加硫成形により強固に一体化できしたがって水の浸入の虞はなく、勿論踏まず部は所定形状で所定位置に正確に上方湾曲させることができるので、足にフィットする軽快性の良い製品とすることができる。
なお本発明の接地底３を中底２下面に接合する際、接着性を確実にするため、両者の間に専用の接着剤を併用することも有効である。
【００１８】
図６及び図７は、本発明を長靴に適用した実施例を示すものである。図において１はアッパー、３は接地底であるが、長靴の場合のアッパー１は、胴部から胛部にかけて一体的に成形されたゴム生地１Ｃと、この内面に設けられたメリヤス等からなる内布１Ｄとからなっている。
本発明の長靴を製造する場合、図６の天地を逆にした型(図示略、但しこの型の底面踏まず部は湾曲状の凹みが設けられているものを用いる。)に内布１Ｄを被せる。
【００１９】
本発明では、上記の状態で中底２を底面に接着させるが、この中底２は、上記図３と同様の要領で用意したものを用いる。即ち、踏まず部相当形状の中央部２Ｂとこの前後部２Ａ、２Ｃとから構成されたものであって、該中央部２Ｂの踏まず部を上方に湾曲成形させた中底２を縫着又は接着により接合したものを製作する。この例の場合も上記実施例の図８の場合と同様に、若干長い形状の中央部２Ｂを用い、一部が重なるようにして接合することもできる。
【００２０】
内布１Ｄを被せた状態の型の底面は、踏まず部の上面も張力のため内布１Ｄも平面状となっているが、この状態で中底２を当接させ、引き続き胴部及び胛部にゴム生地１Ｃを接着させて被せて吊込みを行なう。このようにして吊込みを行なうと、内布１Ｄはメリヤス等の伸縮性の生地でできているので、中央部２Ｂの湾曲により押し込まれて型の凹みに沿うようになる。
【００２１】
この上から加硫されていない状態のゴムからなる中芯１Ｅを接着して吊込みによる段差をなくし、さらに同様のゴムからなる接地底３を接着剤を介して接合し、所定の方法により加硫成形すると、図７のような接地底３が一体に接合され、かつ踏まず部が上方に湾曲し、接地底３と中底２が強固に一体化され、しかも接合箇所が外部に露出することのない優れた長靴が得られることとなる。
なおこの実施例では、長靴に適用した例に基づいて説明しているが、この態様は作業靴等他の履物にも適用することができるのは勿論である。
【００２２】
図９はさらに別の実施例を示すもので、上記図６及び図７に示す長靴に適用した変形例である。上記図７の例では、接地底３として加硫されていない状態のゴムを用い、中央部２Ｂの湾曲に沿うように加硫成形して一体化しているが、この例の場合は、接地底３として加硫さていない状態のゴム、加硫されたゴムからなるものを用い、かつこれと中底２との間の空隙に発泡合成樹脂等のクッション性を有する緩衝材４を介在させて構成したものである。
【００２３】
このように構成した場合も、中底２はその中央部２Ｂの湾曲により足の土踏まずに沿うように作用し、かつここに重力が加わったときには中央部２Ｂが若干下方に押圧されるが、緩衝材４の介在により中央部２Ｂの湾曲の程度が変化し得るため、これを吸収して土踏まずにフィットし、良好な接地感覚を発揮させることができることとなる。この例の場合においても、必要に応じて中底２の下面に中芯１Ｅを接着した上で、接地底３を接着するようにしてよい。
なおこの実施例の場合も、長靴だけに限られるものではなく、この態様は作業靴等他の履物にも十分適用することができる。
【００２４】
図１０は作業靴等に適用する中底２の別の実施例を示すもので、特に踏まず部の幅が比較的狭い履物に用いるのに適しており、踏まず部の内側部分に立上り部２Ｅを形成したものである。この例の場合も、中底２は踏まず部に相当する中央部２Ｂと、この前後部２Ａ、２Ｃの３つで構成されており、このうちの中央部２Ｂの踏まず部は上方に湾曲成形されている。そして中央部２Ｂが狭い分を考慮して、内側部分を一部立上げて立上り部２Ｅとしている。
【００２５】
以上のように構成された中央部２Ｂ及び前後部２Ａ、２Ｃは、上記の実施例と同様にしてこれらの接合縁を縫合するなどして接合して中底２となし、これにアッパーの甲布１Ａを吊り込み、ゴム製の接地底３を一体化させることにより履物とすることができる。この際、上記立上り部２Ｅに相当する接地底３部分も延出させて立上らせ、この部分を覆うように成形することができる。
このようにして得られた履物は、上記実施例と同様な接地感覚、フィット感が得られるばかりでなく、踏まず部内側には立上り部が形成されることとなり、踏まず部の接地感覚を一層高めることができ、しかもこの部分の強度を向上させることができることとなる。
【００２６】
以上本発明を地下たび、長靴、作業靴に適用した実施例について説明したが、本発明はこの例だけに限定されるものではなく、股のない地下たび、安全靴、運動靴、室内履き等各種の履物にも適用できるものである。
これらの履物に適用する場合も、上記の説明と同様に構成されるものであるが、例えば得られた履物の構造は、ほぼ図２の断面と同様となるものであり、図３(但し爪先部の指股はない)や図１０のように構成された中底２に、地下たびや長靴の場合と同様にして成形された中底２に必要に応じて中芯１Ｅを接着した上で接地底３を当接し、これを一体化することができるものである。
なお本発明において必要に応じて使用される中芯１Ｅは、加硫されていない状態のゴムや加硫成形したゴム等が適宜使用し得る。
【００２７】
さらに本発明では、上記で説明した履物に使用する中底自体についても特徴があり、図３、図８又は図１０に示す中底２は、所定の湾曲形状を備えた中央部２Ｂを所定位置に取付けてなっているため、これを適宜のアッパーと組合わせて履物に適用しかつ接地底を取付けることにより、従来と何等変わらない製造工程により、足に十分フィットし、接地感覚の優れた履物を提供し得るものである。勿論この場合も、中芯１Ｅを必要に応じて併用することができる。この場合も必要があるときは、図１０に示すような立上り部２Ｅを設けるようにすれば、上述した効果が得られる。
【００２８】
なお本発明における接地底は、加硫されていない状態すなわち未加硫又は半加硫のゴムを用い加硫成形して一体的に設けることもできるし、加硫成形した底を用いることもできる。
【００２９】
【発明の効果】
本発明は以上詳述した如き構成からなるものであり、独特の中央部と前後部を接合した中底を使用し、これにゴム製の接地底を接合して一体化したものであるから、上方に湾曲した所定形状の踏まず部を所定位置に正確に備えたものであり、これにより水の浸入を防止し、しかも外部に接合箇所が露出することのない優れた履物を提供することができ、又中央部を予め取付けた中底を用いることにより特別な方法、装置を用いることなく、このような履物を効率よく確実に製造することができ、なおかつ独得の中央部を取付けた中底を使用することにより一般の履物においても上述した効果を発揮し得る利点がある。
【図面の簡単な説明】
【図１】  本発明を地下たびに適用した実施例を示す斜視図である。
【図２】  図１の部分的な縦断面図である。
【図３】  本発明に使用する中底の接合前の状態を示す斜視図である。
【図４】  本発明に使用する中底の接合した状態を示す平面図である。
【図５】  図４のV-V線の拡大断面図である。
【図６】  本発明を長靴に適用した実施例を示す側面図である。
【図７】  図６の部分的な拡大縦断面図である。
【図８】  本発明に使用する中底の別の例を示す図５に相当する断面図である。
【図９】 本発明を長靴に適用した別の実施例を示す図７に相当する拡大断面図である。
【図１０】 本発明を作業靴に適用した場合に用いる中底の例を示す図３に相当する斜視図である。
【符号の説明】
１               アッパー
２               中底
２Ａ             前部
２Ｂ             中央部
２Ｃ             後部
３               接地底
４               緩衝材
【図１】
0004766411.tif 000002
【図２】
0004766411.tif 000003
【図３】
0004766411.tif 000004
【図４】
0004766411.tif 000005
【図５】
0004766411.tif 000006
【図６】
0004766411.tif 000007
【図７】
0004766411.tif 000008
【図８】
0004766411.tif 000009
【図９】
0004766411.tif 000010
【図１０】
0004766411.tif 000011